(57)【特許請求の範囲】
【請求項１】
設備本体と、
該設備本体から垂下した縦壁の貫通穴に挿通して取り付けられ、Ｔバーの頭部に載置状態に係止される取付具と、
前記設備本体の縦壁に一端が固定され、前記取付具がＴバーの頭部に載置された係止状態でＴバー側に圧接されて設備本体の浮き上がりを防止する弾性を有する浮上り防止具と、
を備えたシステム天井用設備であって、
前記浮上り防止具は、
前記縦壁の下部側に一端が取り付けられた略Ｕ字状部と、
該略Ｕ字状部に連接され、前記設備本体の取付具がＴバーの頭部に載置された係止状態でＴバーに向けて付勢力により張り出し、Ｔバーの頭部下面に圧接係合して設備本体の浮き上がりを防止する略く字状の屈曲部を有する突張り部と、
該突張り部に連接され、前記縦壁の貫通穴を通過した他端にＴバーの頭部下面から離れて係合を解除させるように撓ませた前記突張り部をその係合解除状態に保持するために設備本体側に係止させる引掛け部とを
有することを特徴とするシステム天井用設備。
【請求項２】
前記浮上り防止具の他端側の先端部に略Ｌ字状のツマミ部を設けたことを特徴とする請求項１記載のシステム天井用設備。
【発明の詳細な説明】
【０００１】
【発明の属する技術分野】
本発明は例えばシステム天井用照明器具等のシステム天井用設備に関するものである。
【０００２】
【従来の技術】
図７は例えば特開２０００−８２３１８号公報に開示されている従来のシステム天井用設備を示す斜視図、図８（ａ）は同システム天井用設備の位置決め状態の部分断面図、（ｂ）は取付具の係合状態の部分断面図である。
この従来のシステム天井用設備は、平行する２本のＴバーの間の予め決められた位置に例えば照明器具の設備を設置する場合、例えば図７に示す照明器具５３のエンド部に設けた取付具５４をＴバー５１の頭部に引っ掛けて取り付けるとともに、位置決め具５０がＴバー５１の係止孔５２に挿入されて位置決めが完了するように構成されている。
その、一方、地震が発生した場合に、照明器具５３がＴバー５１から外れないように、システム天井用の照明器具５３の取付具５４にはＴバー５１からの浮上りを防止するための浮上り防止構造として爪５５が設けられている。
【０００３】
【発明が解決しようとする課題】
上記のような従来のシステム天井用設備では、図９の同システム天井用設備の取付具の係合状態に示すように、取付具５４が係合されるＴバー５１の頭部に下面が引っかかる溝が無いテーパー面の場合には、取付具５４に設けられた爪５５はＴバー５１の頭部にひっかからず、照明器具５３側に逃げ、浮き上がりを防止することができないおそれがあるという問題点があった。
【０００４】
本発明は、このような問題点を解決するためになされたものであり、Ｔバーに対して照明器具取付け時に照明器具の浮き上がりを確実に防止でき、照明器具取外し時に照明器具内部から浮き上がり防止機能を容易に解除することができるシステム天井用設備を得ることを目的とする。
【０００５】
【課題を解決するための手段】
本発明に係るシステム天井用設備は、設備本体と、設備本体から垂下した縦壁の貫通穴に挿通して取り付けられ、Ｔバーの頭部に載置状態に係止される取付具と、設備本体の縦壁に一端が固定され、取付具がＴバーの頭部に載置された係止状態でＴバー側に圧接されて設備本体の浮き上がりを防止する弾性を有する浮上り防止具とを備えたシステム天井用設備であって、前記浮上り防止具は、縦壁の下部側に一端が取り付けられた略Ｕ字状部と、略Ｕ字状部に連接され、設備本体の取付具がＴバーの頭部に載置された係止状態でＴバーに向けて付勢力により張り出し、Ｔバーの頭部下面に圧接係合して設備本体の浮き上がりを防止する略く字状の屈曲部を有する突張り部と、突張り部に連接され、縦壁の貫通穴を通過した他端にＴバーの頭部下面から離れて係合を解除させるように撓ませた突張り部をその係合解除状態に保持するために設備本体側に係止させる引掛け部とを有するものである。
また、前記浮上り防止具の他端側の先端部に略Ｌ字状のツマミ部を設けるようにしている。
【０００６】
本発明においては、設備本体をそれに取り付けた取付具がＴバーより上になるように押し上げた後に下降させると、取付具がＴバーの頭部に載置された係止状態になると共に、設備本体に取り付けた浮上り防止具の突張り部の屈曲部分が付勢力により張り出してＴバーの頭部下面に圧接係合し、浮上り防止具の突張り部によってＴバーに対して設備具本体の浮き上がりが防止された状態で設備本体をＴバーに装着することができるから、設備本体をその取付具がＴバーより上になるように押し上げた後に下降させるというワンタッチの簡単な操作だけで設備本体を装着することができ、その装着後に設備本体をＴバーに対して上方に押し上げても浮上り防止具の突っ張り部の屈曲部分が外側に張り出すように撓むためにＴバーの頭部下面に対する突っ張り部の屈曲部分の圧接がより強くなって充分な浮き上がり防止機能を発揮する。
また、Ｔバーに装着された設備本体をＴバーから取り外す場合は、設備本体の内側より手をいれて指で浮上り防止具の引掛け部を操作して突張り部をＴバーの頭部下面から離れて係合を解除させるように撓ませ、その引掛け部を設備本体側に係止させることにより、突張り部がＴバーの頭部下面に対して係合解除状態に保持させられるから、設備本体を上方に押し上げ、取付具がＴバーの頭部上方に位置した後、取付具がＴバーの頭部から離れるようにずらして引き下げるだけで、設備本体をＴバーから簡単に取り外すことができる。
【０００７】
また、浮上り防止具の他端側の先端部に略Ｌ字状のツマミ部を設けるようにしたから、Ｔバーに装着された設備本体をＴバーから取り外す場合に、設備体の内側より手をいれて指で浮上り防止具のツマミ部を操作して突張り部をＴバーの頭部下面から離れて係合を解除させるように撓ませ、その引掛け部を設備本体側に係止させて突張り部をＴバーの頭部下面に対して係合解除状態に保持させることをより容易に行うことができる。
【０００８】
【発明の実施の形態】
実施の形態１．
図１は本発明の実施の形態１に係るシステム天井用設備の構成を示す部分断面図、図２は同システム天井用設備の浮上り防止具を示す斜視図、図３は同システム天井用設備である照明器具をＴバーに装着する時の動きを示す説明図、図４は同システム天井用設備である照明器具をＴバーから取り外す時の動きを示す説明図である。
図において、本発明の実施の形態１に係るシステム天井用設備は照明器具であり、この照明器具１はシステム天井用の平行する２本のＴバー３、３の間に取り付けられる。このＴバー３は水平部４と水平部４から立ち上がる垂直部５と垂直部５の上端に設けられ、下部にテーパ面を有する頭部６とからなるものである。
この照明器具１は設備本体となる照明器具本体１１と、照明器具本体１１の縦壁１２の上部側に一体に取り付けられ、Ｔバー３の頭部６を覆う取付具１３と、照明器具本体１１の縦壁１２の下部側に一体に取り付けられ、照明器具本体１１の浮き上がりを防止する浮上り防止具１４とで構成されている。
【０００９】
その取付具１３は、照明器具本体１１の縦壁１２の上部側に一体に取り付けられ、一端側が縦壁１２に形成された貫通穴１２ａを貫通して内部に突出し、他端側が外部に水平に張り出す略逆Ｔ字状の取付部材１５と、取付部材１５の他端先端に設けられた外側垂下部１６と、取付部材１５の他端側で外側垂下部１６より内側に設けられた内側垂下部１７とからなる。１５ａは取付部材１５の一端側に設けられ、引掛け部２４が貫通する穴である。なお、取付部材１５の他端側は基端側が先端側より幅広に形成され、その幅広部分の両側にそれぞれ内側垂下部１７が設けられている。
【００１０】
また、浮上り防止具１４は、照明器具本体１１の縦壁１２の下部側で貫通穴１２ａより下方に一端側が一体に取り付けられた略Ｕ字部２１と、略Ｕ字部２１に連設され、略く字状の突張り部２２と、突張り部２２に連設され、先端が略直角に折れ曲がったツマミ部２３と、ツマミ部２３の両側をそれぞれ切欠して形成された一対の引掛け部２４とからなり、これらは一枚の金属片を折り曲げて全体に弾性を有するように構成されている。なお、２２ａは略Ｕ字部２１に設けられた止め穴である。
【００１１】
次に、本発明の実施の形態１のシステム天井用設備である照明器具１のＴバー３への装着について図３に基づいて説明する。
まず、図３の（ａ）に示すようにシステム天井用の平行する２本のＴバー３、３（片側は図示せず）の間に下から照明器具本体７をＴバー３を通過させるように上方に向けて入れ、Ｔバー３の上方に取付具１３の取付部材１５の外側垂下部１６と内側垂下部１７の間にＴバー３の頭部６がくるように照明器具本体１１を位置決めする。
【００１２】
しかる後に、照明器具本体１１を下降させると、図３の（ｂ）に示すように浮上り防止具１４の突張り部２２がＴバー３の頭部の上面に当たり、突っ張り部２２と略Ｕ字部２１とが撓み、さらに照明器具本体１１を下降させると、図３の（ｃ）に示すように突っ張り部２２の屈曲部分が弾性によりＴバー３の頭部６のテーパ面に収まって圧接係合する。それと同時に、取付具１３の取付部材１５の外側垂下部１６と内側垂下部１７の間にＴバー３の頭部６が収まり、取付部材１５がＴバー３の頭部６に載置された係止状態となり、Ｔバー３に取付具１３を有する照明器具本体１１が支持されることになる。
【００１３】
従って、照明器具本体１１をその取付具１３がＴバー３より上になるように押し上げた後に下降させるという簡単な操作だけで、照明器具本体１１に取り付けた取付具１３がＴバー３の頭部９６に載置された係止状態になると共に、照明器具本体１１に取り付けた浮上り防止具１４の突っ張り部２２の屈曲部分が弾性によりＴバー３の頭部６のテーパ面に収まって圧接係合し、浮上り防止具１４によってＴバー３に対して照明器具本体１１の浮き上がりが防止された状態で照明器具本体１１をＴバー３に装着することができる。
【００１４】
また、照明器具１がＴバー３に装着された状態で、照明器具本体１１をＴバー３に対して上方に押し上げると、Ｔバー３の頭部６の下部のテーパ面が浮上り防止具１４の突っ張り部２２の屈曲部分を外側に張り出すように撓むためにＴバー３の頭部６の下部のテーパ面に浮上り防止具１４の突っ張り部２２の屈曲部分により圧接固定されて照明器具本体１１のそれ以上の上方への押上が阻止され、照明器具本体１１のＴバー３に対する装着が解除されることはなく、充分な浮き上がり防止機能を発揮する。
【００１５】
次に、Ｔバーに装着された照明器具のＴバーからの取り外しについて図４に基づいて説明する。
まず、図４の（ａ）に示すように照明器具本体１１の縦壁８の内側より手をいれて指で浮上り防止具１４のツマミ部２３を操作して引掛け部２４を取付部材１５の一端側先端に係止させると、浮上り防止具１４の突っ張り部２２の屈曲部分が照明器具本体１１側、即ち内側に撓んで浮上り防止具１４の突っ張り部２２がＴバー３の頭部６の下部のテーパ面に対して係合解除状態に保持される。
従って、図４の（ｃ）に示すように、照明器具本体１１を上方に押し上げ、取付具１３の取付部材１５の外側垂下部１６と内側垂下部１７の間にＴバー３の頭部６が位置しないようにした後、取付具１３がＴバー３の頭部６から離れるようにずらしてから引き下げることにより、照明器具本体１１をＴバー３から簡単に取り外すことができる。
【００１６】
実施の形態２．
図５は本発明の実施の形態２に係るシステム天井用設備である照明器具をＴバーから取り外す時の動きを示す説明図である。
図５において、本発明の実施の形態１と同様の構成は同一符号を付して重複した構成の説明を省略する。
この実施の形態２は、取付具１３の構成が実施の形態１と相違するものである。この実施の形態２の取付具３３は、照明器具本体１１の縦壁１２の上部側に一端が一体に取り付けられた略Ｌ字状の取付部材３５と、取付部材１５の自由端先端に設けられた外側垂下部３６と、取付部材３５の自由端で外側垂下部３６より内側に設けられた内側垂下部３７とからなる。なお、取付部材３５の自由端は基端側が先端側より幅広に形成され、その幅広部分の両側にそれぞれ内側垂下部３７が設けられている。
【００１７】
従って、図５の（ａ）に示すように、照明器具１がＴバー３に装着されている場合には、浮上り防止具１４の突張り部２２の屈曲部分が弾性によりＴバー３の頭部６のテーパ面に収まって圧接係合し、浮上り防止具１４によってＴバー３に対して照明器具本体１１の浮き上がりが防止された状態で照明器具本体１１をＴバー３に装着されている点では実施の形態１と同様である。
しかし、Ｔバー３装着された照明器具１のＴバーから取り外す場合には、図５の（ｂ）に示すように照明器具本体１１の縦壁８の内側より手をいれて指で浮上り防止具１４のツマミ部２３を操作し、引掛け部２４を縦壁１２に形成された貫通穴１２ａの上縁に係止させることにより、浮上り防止具１４の突張り部２２の屈曲部分が弾性によりＴバー３の頭部６のテーパ面に収まっているのを解除させる点で相違し、取付具３３の構成が実施の形態１に比べて簡素化されたものである。それ以外の作用、効果は実施の形態１と同様であるので、かかる説明は省略する。
【００１８】
実施の形態３．
図６は本発明の実施の形態３に係るシステム天井用設備の構成を示す部分断面図である。
図６において、本発明の実施の形態１と同様の構成は同一符号を付して重複した構成の説明を省略する。
この実施の形態３は、Ｔバーの構成が実施の形態１と相違するものである。この実施の形態３のＴバー５１は、その頭部５６の下面に浮上り防止具１４の張出し部２２の屈曲部分が引っかかる溝５６ａが設けられたものである。また、その溝５６ａに係止させるために、浮上り防止具１４の張出し部２２の屈曲部分に係止突片２２ａが設けられている。
【００１９】
従って、図６に示すように、照明器具１がＴバー５１に装着されている場合には、浮上り防止具１０の突張り部２２の屈曲部分に設けられた係止突片２２ａが弾性によりＴバー５１頭部５６の下面に形成された溝５６ａに圧接係止され、浮上り防止具１０によってＴバー５１に対して照明器具本体１１の浮き上がりが確実に防止された状態で照明器具本体１１がＴバー５１に装着される。
なお、Ｔバー５１に装着された照明器具１をＴバーから取り外す場合も動作は実施の形態１と同様であるので、かかる説明は省略する。
【００２０】
【発明の効果】
以上のように本発明によれば、設備本体をそれに取り付けた取付具がＴバーより上になるように押し上げた後に下降させると、取付具がＴバーの頭部に載置された係止状態になると共に、設備本体に取り付けた浮上り防止具の突張り部の屈曲部分が付勢力により張り出してＴバーの頭部下面に圧接係合し、浮上り防止具の突張り部によってＴバーに対して設備具本体の浮き上がりが防止された状態で設備本体をＴバーに装着することができるので、設備本体をその取付具がＴバーより上になるように押し上げた後に下降させるというワンタッチの簡単な操作だけで設備本体を装着することができ、その装着後に設備本体をＴバーに対して上方に押し上げても浮上り防止具の突っ張り部の屈曲部分が外側に張り出すように撓むため、Ｔバーの頭部下面に対する突っ張り部の屈曲部分の圧接がより強くなって充分な浮き上がり防止機能を発揮するという効果がある。
また、Ｔバーに装着された設備本体をＴバーから取り外す場合は、設備本体の内側より手をいれて指で浮上り防止具の引掛け部を操作して突張り部をＴバーの頭部下面から離れて係合を解除させるように撓ませ、その引掛け部を設備本体側に係止させることにより、突張り部がＴバーの頭部下面に対して係合解除状態に保持させられるので、設備本体を上方に押し上げ、取付具がＴバーの頭部上方に位置した後、取付具がＴバーの頭部から離れるようにずらして引き下げるだけで、設備本体をＴバーから簡単に取り外すことができるという効果がある。
【００２１】
また、浮上り防止具の他端側の先端部に略Ｌ字状のツマミ部を設けるようにしたから、Ｔバーに装着された設備本体をＴバーから取り外す場合に、設備本体の内側より手をいれて指で浮上り防止具のツマミ部を操作して突張り部をＴバーの頭部下面から離れて係合を解除させるように撓ませ、その引掛け部を設備本体側に係止させて突張り部をＴバーの頭部下面に対して係合解除状態に保持させることをより容易に行うことができるという効果がある。
【図面の簡単な説明】
【図１】  本発明の実施の形態１に係るシステム天井用設備の構成を示す部分断面図である。
【図２】  同システム天井用設備の浮上り防止具を示す斜視図
【図３】  同システム天井用設備である照明器具をＴバーに装着する時の動きを示す説明図である。
【図４】  同システム天井用設備である照明器具をＴバーから取り外す時の動きを示す説明図である。
【図５】  本発明の実施の形態２に係るシステム天井用設備である照明器具をＴバーから取り外す時の動きを示す説明図である。
【図６】  本発明の実施の形態３に係るシステム天井用設備の構成を示す部分断面図である。
【図７】  従来のシステム天井用設備を示す斜視図である。
【図８】  同システム天井用設備の部分断面図である。
【図９】  同システム天井用設備を別の種類のＴバーに装着した状態を示す部分断面図である。
【符号の説明】
３  Ｔバー、６  頭部、１１  照明器具本体（設備本体）、１２  縦壁、１３  取付具、１４  浮上り防止具、１５  取付部材、１６  外側垂下部、１７  内側垂下部、２１  略Ｕ字部、２２  突張り部、２３  ツマミ部、２４  引掛け部。
【図１】
0004603710.tif 000002
【図２】
0004603710.tif 000003
【図３】
0004603710.tif 000004
【図４】
0004603710.tif 000005
【図５】
0004603710.tif 000006
【図６】
0004603710.tif 000007
【図７】
0004603710.tif 000008
【図８】
0004603710.tif 000009
【図９】
0004603710.tif 000010